(57)【特許請求の範囲】
【請求項１】
巻取軸により上部に巻き取られるネット状の第１のスクリーンと、上記第１のスクリーンと共に巻取軸に重ねて巻き取られるネット状の第２のスクリーンと、上記両スクリーンの間に連結する多数のスラットであって、両端が上記両スクリーンに対して等間隔で起倒自在に連結された可撓性あるシート状の一定幅の上記スラットとによって構成されたスクリーンユニットを備え、
上記スクリーンユニットは、上記第１のスクリーンにおける巻取軸への取付端が上記第２のスクリーンにおける巻取軸への取付端より長く突出するように、上記両取付端の間に段差を付与して、両取付端が巻取軸に取り付けられ、
上記スクリーンユニットは、上記第１及び第２のスクリーンの下端のそれぞれに第１のボトムバー及び第２のボトムバーが取り付けられ、上記第１及び第２のスクリーンのうちの第１のスクリーンを外側に位置させて上記巻取軸に巻き取ることにより、上記スクリーンユニットの巻き戻しで、上記第１のボトムバーがスクリーン枠の下端に達する第１のスクリーンの張設完了までは、上記各スラットが閉姿勢をとるように構成され、
上記第１のボトムバーと第２のボトムバーとがスクリーン枠の下端に達する第１及び第２のスクリーンの張設完了時には、第２のスクリーンの巻取軸への取付端が未だ巻取軸の下降側の周面にあり、その後の更なる巻取軸の巻き戻し回転の継続により、該取付端が、上記巻取軸の下降側の周面から上昇側の周面を超えた位置に達するものとして、上記巻取軸に取り付けられ、
上記スクリーンユニットにおける第１のスクリーンの巻取軸への取付端は、巻取軸が巻き戻しの限度に達したときに、巻取軸の下降側の周面から上昇側の周面に達しない位置にあって、第１スクリーンの張設完了後の更なる巻取軸の巻き戻し回転の継続により、第２のスクリーンが巻取軸に対し逆巻きの状態になったときに、巻取軸が上記段差分だけ回転しても第１のスクリーンが逆巻きされない位置に取り付けている、
ことを特徴とするブラインド機能付きスクリーン装置。
【請求項２】
巻取りボックス内に上記スクリーンユニットを巻き取る巻取軸を保持させ、該巻取りボックスに、上記巻取軸の巻き戻し回転により上記スクリーンユニットを導出する導出口を設け、
上記導出口における第１のスクリーンが近接して導出される導出口壁に、上記巻取軸から巻き戻される第１のスクリーンに摺接してそれに摺動抵抗を作用させる弛み寄せ部材を設け、巻取軸から巻き戻される第１のスクリーンの弛みを巻取りボックス内に貯留するものとして構成した、
ことを特徴とする請求項１に記載のブラインド機能付きスクリーン装置。
【請求項３】
上記巻取軸の駆動機構に、巻取軸が最開の状態以上に過回転するのを規制するストッパを設けている、
こと特徴とする請求項１または２に記載のブラインド機能付きスクリーン装置。
【請求項４】
上記第１及び第２のスクリーンの巻取軸への取り付けは、一定幅の帯状の取付部片の側端に沿って多数の係合子を取り付けることによって形成した抜け止め片を両スクリーンの端部に取り付け、上記多数の係合子により形成された両スクリーンの取付端を巻取軸の周囲に設けた係合溝に嵌挿することにより行い、
上記スクリーンユニットは、第１及び第２のスクリーンを重ねた状態において第１のスクリーンの巻き取り方向両端間の長さが、第２のスクリーンの巻き取り方向両端間の長さに比して巻取軸への取付端側において上記段差だけ大きいものとして裁断した、
ことを特徴とする請求項１〜３のいずれかに記載のブラインド機能付きスクリーン装置。
【請求項５】
上記第１及び第２のスクリーンの巻取軸への取り付けは、帯状の取付部片の側端に沿って多数の係合子を取り付けることによって形成した抜け止め片を両スクリーンの端部に取り付け、上記多数の係合子により形成された両スクリーンの取付端を巻取軸の周囲に設けた係合溝に嵌挿することにより行い、
上記スクリーンユニットは、第１及び第２のスクリーンを重ねた状態においてそれらの巻き取り方向両端間が等長になるように裁断したうえで、第１及び第２のスクリーンの巻取軸への取付端に取り付ける上記抜け止め片における帯状の取付部片の幅を、第２のスクリーンにおける取付部片の幅に比して、上記段差だけ大きいものとした、
ことを特徴とする請求項１〜３のいずれかに記載のブラインド機能付きスクリーン装置。
【請求項６】
上記第１のスクリーンの左右側端部をスクリーン枠の側枠におけるガイドレールに摺動自在にガイドさせると共に、少なくとも上記第１のボトムバーは、その両端の上下移動を上記側枠によりガイドさせると共に、その下面に隙間封止緩衝材を設けた、
ことを特徴とする請求項１〜５のいずれかに記載のブラインド機能付きスクリーン装置。
【発明の詳細な説明】
【技術分野】
【０００１】
本発明は、建物開口部等に設置して、防虫、通風、遮光、日除け、目隠し等を行うためのブラインド機能付きスクリーン装置に関するものである。
【背景技術】
【０００２】
例えば、特許文献１や特許文献２等に開示されているように、建物開口部に設置して、ネット状のスクリーンに取り付けた多数のスラットの傾斜角度を可変にするブラインド機能を持たせたスクリーン装置は既に知られている。そして、この種のスクリーン装置のスクリーンとして、巻取軸により上部に巻き取られるネット状の第１のスクリーンと、上記第１のスクリーンと共に巻取軸に重ねて巻き取られるネット状の第２のスクリーンと、上記両スクリーンの間に連結する多数のスラットであって、両端が上記両スクリーンに対して等間隔で起倒自在に連結されたシート状の一定幅の調光或いは遮光用の上記スラットとによって構成されたスクリーンユニットを用いるのが、簡単な構成及び操作でのスクリーンの張設やスラットの開閉に有利なことも、上記特許文献等により既に知られている。
【０００３】
これを更に具体的に説明すると、上記スクリーンユニットは、それを巻取軸に取り付けるに当たり、第１のスクリーンと第２のスクリーンとの間にスラットを平面状に重ねるようにして巻き取り、その場合に、両スクリーンの各一端を巻取軸に個別的に取り付けることにより、巻取軸の巻き戻し回転による両スクリーンの降下で、第１及び第２のスクリーンをスラットが閉じた状態で張設できるだけでなく、その後の更なる巻取軸の回転の継続により第２のスクリーンが巻取軸に対して逆巻きの状態になるようにしておけば、該第２のスクリーンを第１のスクリーンに対して上動させ、その上動の程度により、上記各スラットが第２のスクリーン側において上下動する傾斜姿勢を取らせることができる。
【０００４】
しかしながら、多数のスラットを取り付けた第１及び第２のスクリーンをそれぞれどのような長さに形成して、巻取軸に対してどのような位置に取り付け、その巻取軸をどのような範囲において駆動すれば、上記スクリーンの張設及びスラットの適切な開閉動作が得られるかの問題があり、仮にスラットの開閉動作が円滑に行えるようになったとしても、スクリーンの下端に取り付けたボトムバーにより虫が侵入する隙間を十分に封止できなくなって、防虫の機能が不十分になったり、部分的に第１又は第２のスクリーンに弛みが生じることなどの問題があり、現実的にそれらの問題を一挙に解決して、上記防虫、通風、遮光、日除け、目隠し等の各種機能を安定的に動作させることには著しい困難性がある。
【先行技術文献】
【特許文献】
【０００５】
【特許文献１】特開２０００−１１０４６２号公報
【特許文献２】特開平６−８８４６９号公報
【発明の概要】
【発明が解決しようとする課題】
【０００６】
本発明の技術的課題は、巻取軸により重ねて巻き取られる上記第１及び第２のスクリーンと、上記両スクリーンの間に連結された多数のスラットとを有する前記スクリーンユニットを備えるブラインド機能付きスクリーン装置において、巻取軸のみの回転操作により、スラットが閉じた状態での第１及び第２のスクリーンの張設・巻き取りだけでなく、上記スラットを所期の態様で開閉動作させ得るスクリーンユニットの巻取軸への取り付けも簡易に行えるようにし、しかも、上記スクリーンユニットを用いたブラインド機能付きスクリーン装置において必然的に生じる第１及び第２のスクリーンの弛みを最小限に留めるようにした、簡単で合理性のあるスクリーン枠へのスクリーンユニットの組み付け構成を提供することにある。
【課題を解決するための手段】
【０００７】
上記課題を解決するため、本発明によれば、巻取軸により上部に巻き取られるネット状の第１のスクリーンと、上記第１のスクリーンと共に巻取軸に重ねて巻き取られるネット状の第２のスクリーンと、上記両スクリーンの間に連結する多数のスラットであって、両端が上記両スクリーンに対して等間隔で起倒自在に連結された可撓性あるシート状の一定幅の上記スラットとによって構成されたスクリーンユニットを備え、それを以下に詳述するような適切な構成によってスクリーン枠に組み付けるようにしたことを特徴とするブラインド機能付きスクリーン装置が提供される。
【０００８】
即ち、上記スクリーンユニットは、上記第１のスクリーンにおける巻取軸への取付端が上記第２のスクリーンにおける巻取軸への取付端より長く突出するように、上記両取付端の間に段差を付与して、両取付端が巻取軸に取り付けられ、上記スクリーンユニットは、上記第１及び第２のスクリーンの下端のそれぞれに第１のボトムバー及び第２のボトムバーが取り付けられ、上記第１及び第２のスクリーンのうちの第１のスクリーンを外側に位置させて上記巻取軸に巻き取ることにより、上記スクリーンユニットの巻き戻しで、上記第１のボトムバーがスクリーン枠の下端に達する第１のスクリーンの張設完了までは、上記各スラットが閉姿勢をとるように構成され、上記第１のボトムバーと第２のボトムバーとがスクリーン枠の下端に達する第１及び第２のスクリーンの張設完了時には、第２のスクリーンの巻取軸への取付端が未だ巻取軸の下降側の周面にあり、その後の更なる巻取軸の巻き戻し回転の継続により、該取付端が、上記巻取軸の下降側の周面から上昇側の周面を超えた位置に達するものとして、上記巻取軸に取り付けられ、上記スクリーンユニットにおける第１のスクリーンの巻取軸への取付端は、巻取軸が巻き戻しの限度に達したときに、巻取軸の下降側の周面から上昇側の周面に達しない位置にあって、第１スクリーンの張設完了後の更なる巻取軸の巻き戻し回転の継続により、第２のスクリーンが巻取軸に対し逆巻きの状態になったときに、巻取軸が上記段差分だけ回転しても第１のスクリーンが逆巻きされない位置に取り付けられているものである。
【０００９】
本発明に係るブラインド機能付きスクリーン装置の好ましい実施形態においては、巻取りボックス内に上記スクリーンユニットを巻き取る巻取軸を保持させ、該巻取りボックスに、上記巻取軸の巻き戻し回転により上記スクリーンユニットを導出する導出口を設け、上記導出口における第１のスクリーンが近接して導出される導出口壁に、上記巻取軸から巻き戻される第１のスクリーンに摺接してそれに摺動抵抗を作用させる弛み寄せ部材を設け、巻取軸から巻き戻される第１のスクリーンの弛みを巻取りボックス内に貯留するものとして構成される。
【００１０】
本発明に係るブラインド機能付きスクリーン装置の他の好ましい実施形態においては、上記巻取軸の駆動機構に、巻取軸が最開の状態以上に過回転するのを規制するストッパを設けたものとして構成される。
【００１１】
本発明に係るブラインド機能付きスクリーン装置の他の好ましい実施形態においては、上記第１及び第２のスクリーンの巻取軸への取り付けは、一定幅の帯状の取付部片の側端に沿って多数の係合子を取り付けることによって形成した抜け止め片をスクリーンの端部に取り付け、上記多数の係合子により形成されたスクリーンの取付端を巻取軸の周囲に設けた係合溝に嵌挿することによって行い、上記スクリーンユニットは、第１及び第２のスクリーンを重ねた状態において第１のスクリーンの巻き取り方向両端間の長さが、第２のスクリーンの巻き取り方向両端間の長さに比して巻取軸への取付端側において上記段差だけ大きいものとして裁断したものとして構成される。
【００１２】
また、本発明に係るブラインド機能付きスクリーン装置の他の好ましい実施形態においては、上記第１及び第２のスクリーンの巻取軸への取り付けは、帯状の取付部片の側端に沿って多数の係合子を取り付けることによって形成した抜け止め片をスクリーンの端部に取り付け、上記多数の係合子により形成されたスクリーンの取付端を巻取軸の周囲に設けた係合溝に嵌挿することによって行い、上記スクリーンユニットは、第１及び第２のスクリーンを重ねた状態においてそれらの巻き取り方向両端間が等長になるように裁断したうえで、第１及び第２のスクリーンの巻取軸への取付端に取り付ける上記抜け止め片における帯状の取付部片の幅を、第２のスクリーンにおける取付部片の幅に比して、上記段差だけ大きいものとして構成される。
【００１３】
更に、本発明に係るブラインド機能付きスクリーン装置の他の好ましい実施形態においては、上記第１のスクリーンの左右側端部をスクリーン枠の側枠におけるガイドレールに摺動自在にガイドさせると共に、少なくとも上記第１のボトムバーは、その両端の上下移動を上記側枠によりガイドさせると共に、その下面に隙間封止緩衝材を設けたものとして構成される。
【発明の効果】
【００１４】
以上に詳述した本発明のブラインド機能付きスクリーン装置によれば、巻取軸により重ねて巻き取られる上記第１及び第２のスクリーンと、上記両スクリーンの間に連結された多数のスラットとを有する前記スクリーンユニットを備えるブラインド機能付きスクリーン装置において、巻取軸のみの回転操作により、スラットが閉じた状態での第１及び第２のスクリーンの張設・巻き取りだけでなく、上記スラットを所期の態様で開閉動作させ得るスクリーンユニットの巻取軸への取り付けも簡易に行えるようにし、しかも、上記スクリーンユニットを用いたブラインド機能付きスクリーン装置において必然的に生じる第１及び第２のスクリーンの弛みを最小限に留めるようにした、簡単で合理性のあるスクリーン枠へのスクリーンユニットの組み付け構成を提供することができる。
【図面の簡単な説明】
【００１５】
【図１】本発明に係るブラインド機能付きスクリーン装置の実施例におけるスラット閉状態を示す縦断側面図である。
【図２】同スラット開状態を示す縦断側面図である。
【図３】同スラット開状態の一部破断正面図である。
【図４】（ａ）は本発明に係るブラインド機能付きスクリーン装置におけるスクリーンユニットの一例を示す一部破断正面図、（ｂ）は同模式的側面図である。
【図５】（ａ）は本発明に係るブラインド機能付きスクリーン装置におけるスクリーンユニットの他の一例を示す一部破断正面図、（ｂ）は同模式的側面図である。
【図６】スラットが最開の状態にあるときの巻取軸に対する第１のスクリーンの取付位置についての適・不適を説明するための一部を省略した模式的説明図である。
【図７】図６の開状態からスラットを閉状態に移行するときの第１のスクリーンの不適切な動作態様を説明するための同模式的説明図である。
【発明を実施するための形態】
【００１６】
本発明に係るブラインド機能付きスクリーン装置は、基本的構成が既知であるスクリーンユニットを用いるものであるが、具体的には、以下に述べる点で既知のものとは特徴的な構成において明確な差異がある。
まず、本発明において用いるスクリーンユニット１０は、図１〜図３に示すように、既知のスクリーンユニットと基本的には同様な構成、即ち、巻取軸８により上部に巻き取られるネット状の第１のスクリーン１１と、上記第１のスクリーン１１と共に巻取軸８に重ねて巻き取られるネット状の第２のスクリーン１２と、上記両スクリーンの間に連結する多数のスラット１３であって、両端が上記両スクリーンに対して等間隔で起倒自在に連結された可撓性あるシート状の一定幅の上記スラット１３とを有する基本的構成を備えたものである。
【００１７】
しかしながら、本発明のスクリーンユニット１０は、図１〜図５等を参照して後述するように、スクリーンユニットの上記基本的構成に加えて、巻取軸８への第１及び第２のスクリーン１１，１２の適切な取り付けのための長さ調整、及び巻取軸８の回転のみによりスクリーンユニット１０に適切な動作を行わせるための、第１及び第２のスクリーンの長さ調整に関する特徴的な構成を具備させた点において、上記既知のスクリーンユニットとは明確な差異を有するものである。
【００１８】
上記スクリーンユニット１０の特徴的構成について詳細に説明すると、まず、上記スクリーンユニット１０は、第１のスクリーン１１及び第２のスクリーン１２と、両スクリーンの間に、両端が両スクリーンに対して等間隔に連結された上記スラット１３とより構成されるが、その製造に際しては、一定幅で長尺の第１のスクリーン１１の素材に同第２のスクリーン１２の素材が重ね合わされ、それらの間に挟んだ多数のスラット１３の両端がそれぞれ第１及び第２のスクリーン１１，１２に対して接着や縫着等の手段で順次取り付けられ、或いは第１及び第２のスクリーン１１，１２の間に挟まれる多数のスラット１３の両端を、それぞれ第１及び第２のスクリーンに織り込んだ一つの織物として製織するなどの手段によって、長尺のスクリーンユニットの基材として製造され、スクリーン装置を設置する建物開口部の大きさに適合するように所要の寸法に裁断してスクリーン枠に組み付けるものである。
【００１９】
上記スクリーンユニット１０を巻取りボックス３内の巻取軸８に対して取り付けるに当たっては、図１及び図２に示すように、上記第１のスクリーン１１が巻取軸８の外側に、第２のスクリーン１２がその第１のスクリーン１１の内側に位置するように重ねられ、該第１のスクリーンと第２のスクリーンとの間にスラット１３が平面状に伸長した状態で重ねられるようにして上記巻取軸８に巻き取ることにより、図１に示すような該スクリーンユニット１０の巻き戻しで、第１のスクリーン１１の下端に取り付けた第１のボトムバー１５がスクリーン枠２の下端に位置する下枠６（建物開口部の下部額縁を含む。）に達する第１のスクリーン１１の張設完了までは、上記各スラット１３が両スクリーン１１，１２に沿う閉姿勢をとるように構成される。
【００２０】
更に、上記第１のスクリーン１１の張設完了時には、上記第２のスクリーン１２の巻取軸８への取付端１２ａが、図１に示す巻取軸８の下降側の周面Ａ付近にあって、その後の更なる巻取軸８の巻き戻し回転の継続により、上記第２のスクリーン１２の巻取軸８への取付端１２ａが上記巻取軸８の下降側の周面Ａから図２に示す上昇側の周面Ｂを超える位置に達するような寸法関係を有するものとして、該第２のスクリーン１２を巻取軸８に対して取り付ることにより、該巻取軸８の巻き戻し回転の継続のみで、第２のスクリーン１２が巻取軸８に対して逆巻きの状態になって第２のスクリーン１２を上動させ、その上動の程度によりスラット１３の傾斜角度を調整することが可能になる。
【００２１】
但し、第１のスクリーン１１の張設完了時から更に巻取軸８のき戻し回転を継続するとき、巻取軸８上に更に繰り出されるべき第１のスクリーン１１が残っていることが必要であり、これがなければ、第１のスクリーン１１も巻取軸８に逆巻きで巻かれることになるので、上述のスラット１３の傾斜角度の調整を行うことができなくなる。
つまり、上記スクリーンユニット１０は、図４及び図５を参照して後述するように、上記第１のスクリーン１１における巻取軸８への取付端１１ａが上記第２のスクリーン１２における巻取軸への取付端１２ａより長く突出するように、上記両取付端の間に段差ｄを付与して、両取付端１１ａ，１２ａを巻取軸８に取り付ける必要がある。
【００２２】
上記段差ｄの存在により、第１のスクリーン１１の上記張設完了時（図１参照）から、更に巻取軸８の巻き戻し回転を継続すると、巻取軸８上に残っている上記第１のスクリーン１１が巻取軸８から更に繰り出され、そしてこの時点では第１のスクリーン１１の下端の第１のボトムバー１５が既に下枠６に到達していることから、該スクリーン１１に弛み１１ｂが生じることになるが、前記巻取りボックス３におけるスクリーンユニット１０が導出される導出口４の、上記第１のスクリーン１１が近接して導出される導出口壁４ａに、巻取軸８から巻き戻される第１のスクリーン１１に摺接してそれに摺動抵抗を作用させるモヘア等の弛み寄せ部材２０を設けておくことにより、巻取軸８から巻き戻される第１のスクリーン１１の弛みが巻取りボックス３から外部に送り出されることはなく、該巻取りボックス３内に貯留されることになり、意匠性において見苦しくなることはない。
【００２３】
上述した第１のボトムバー１５が下枠６に達した第１のスクリーン１１の張設完了時における第２のスクリーン１２の巻取軸８への取付端１２ａは、特に、図１に示すような巻取軸８の下降側の周面Ａにおける巻取軸８の中心軸線とほぼ同じ高さにあるようにするのが最適であり、それによって、上記第１のボトムバー１５が下枠６に達するまでは、スラット１３に全閉姿勢を保持させることができる。
【００２４】
また、第２のスクリーン１２の巻取軸８への取付端が上記最適位置よりも上方側になるようにすると、第２のスクリーン１２が巻取軸８に対して逆巻きの状態になってからスラット１３の開放が開始されるまでの間に無駄な逆巻きが必要になる。また、逆に第２のスクリーン１２の巻取軸８への取付端が上記最適位置よりも下方側になると、該巻取軸８への取付端が巻取軸の中心軸線側に寄ることになるので、第１のスクリーン１１の張設完了時にスラット１３の開放が僅かながら開始した状態になり、該張設完了時に可及的に閉状態に近い状態にすることができなくなるので、スラット１３の開放を許容できる範囲内であれば、第２のスクリーン１２の巻取軸８への取付端を上記最適位置よりも下方側に設定することもできる。
【００２５】
上記図１〜図３に示すスクリーン装置においては、上記第１のスクリーン１１の左右側端部をスクリーン枠２の側枠５内に設けたガイドレール５ａに摺動自在にガイドさせると共に、上記第１及び第２のスクリーン１１，１２の下端にそれぞれ取り付けた第１及び第２のボトムバー１５，１６も、それらの両端の上下移動を上記側枠５によりガイドさせ、また、第１のボトムバー１５の下面に、スクリーン枠２の下枠６に対する当接時に該下枠６との間の隙間を防虫効果維持のために封止し、更に、第１のボトムバー１５を緩衝停止させるために、モヘア等からなる隙間封止緩衝材３５を取り付けている。
【００２６】
また、上記図１〜図３に示すスクリーン装置の実施例においては、巻取軸８を駆動する駆動機構として、巻取りボックス３内の図示を省略しているスプロケットにボールチェーン３６を巻き掛けることにより、巻取軸８を正逆の方向に回転駆動できるようにしているが、該ボールチェーン３６に巻取軸８の巻き戻しの過回転を規制するストッパ３７を設けている。これは、図６及び図７を参照して詳細に後述するように、第１のスクリーン１１が巻取軸８の巻き戻し回転により上記ストッパ３７で規制された巻き戻しの限度に達したときに、該第１のスクリーン１１における巻取軸８への取付端１１ａが、巻取軸８の下降側の周面から上昇側の周面に達しない位置にあって、第１のスクリーン１１が該位置から直接巻取りボックス３の導出口４に向かうようにするためであり、これによって第１のスクリーンの変形が抑制される。
【００２７】
次に、第１及び第２のスクリーン１１，１２の巻き取り方向長さについての望ましい設定、及びそれらのスクリーン１１，１２の巻取軸８に対する望ましい取付位置について説明する。
【００２８】
前記スクリーンユニット１０の基材を裁断して使用する場合に、仮に、第１及び第２のスクリーン１１，１２並びにスラット１３を平面状に重ねた状態で、第１及び第２のスクリーン１１，１２が同長になるように該スクリーンユニット１０の基材を所要長に裁断したとすると、裁断手段が簡単ではあるが、それを巻取軸８に取り付ける場合に、第１のスクリーン１１と第２のスクリーン１２との間にスラット１３が平面状に重ねて巻き戻されるようにするには、両スクリーン１１，１２の巻取軸８に対する取付位置を同位置にする必要がある。そのため、スクリーンユニット１０の巻き戻しによる第１のスクリーン１１の張設完了までは、各スラット１３が両スクリーン１１，１２に沿う閉姿勢をとることになるが、その後、巻取軸８に対する第２のスクリーン１２のみの逆巻でスラット１３を開にすることはできない。
【００２９】
即ち、前述したように、第１のスクリーン１１の張設完了時から更に巻取軸８の巻き戻し回転を継続してスラット１３を傾動させるためには、第１のスクリーン１１の張設完了時点で巻取軸８に第１のスクリーン１１の繰り出し可能部分が残っていること、つまり、第１のスクリーン１１における巻取軸８への取付端１１ａ側を、第２のスクリーン１２における同取付端側よりも長くしておく必要がある。しかも、その長さは、スラット１３が最も傾動するところまで第２のスクリーン１２を逆巻きしても第１のスクリーン１１が逆巻きされない長さであることが必要である。
【００３０】
更に、防虫網戸としての機能を十分に発揮させるためには、第２のスクリーン１２の上動によるスラット１３の開動作が完了するまでは、少なくとも、下枠６に到達した第１のボトムバー１５が上動を開始しないようにする必要があり、該第１のスクリーン１１における巻取軸８への連結端側には、第２のスクリーン１２に比して、そのための長さの余裕を付与しておく必要がある。
【００３１】
上述したように張設を行うスクリーンユニット１０の具体的構成は、図４或いは図５に例示するように、上記第１のスクリーン１１における巻取軸８への取付端１１ａが上記第２のスクリーン１２における巻取軸８への取付端１２ａより長く突出するように、上記両取付端の間に段差ｄを付与して、両取付端１１ａ，１２ａがそれぞれ巻取軸８に取り付けられる必要がある。上記スクリーンユニット１０における第１及び第２のスクリーン１１，１２の巻取軸８への取付端側の段差ｄは、上記第１のスクリーン１１の張設完了後の更なる巻取軸８の巻き戻し回転の継続により第２のスクリーン１２が巻取軸８に対し上記逆巻きの状態になったときに、第１のスクリーン１１までが逆巻きにより上動しないようにする巻取り長さの余裕として付与されるものである。
【００３２】
上記第１及び第２のスクリーン１１，１２の巻取軸８への取り付けは、例えば、図４の（ａ）及び（ｂ）に示すように、一定幅の帯状の取付部片２６の一側端縁に沿って多数の係合子２７を取り付けることによって形成したファスナー状の抜け止め片２５を、両スクリーン１１，１２の上下端部に取り付け、上記多数の係合子２７により形成された両スクリーン１１，１２の取付端１１ａ，１２ａを巻取軸８の周囲に設けた係合溝に対して該溝の長手方向に嵌挿し、該係合溝の口縁に係合子２７を係合させることによって行うのが望ましく、これによって、巻取軸８に対する両スクリーン１１，１２の上端の取り付け、取り外しを簡単且つ容易に行うことが可能になる。
【００３３】
また、上記第１及び第２のスクリーン１１，１２の下端には、それぞれ第１及び第２のボトムバー１５，１６を取り付けるが、これらのボトムバー１５，１６の着脱も、該ボトムバー内に設けた係合部片３１，３２の係合溝３１ａ，３２ａに、上記抜け止め片の係合子２７を該溝の長手方向に嵌挿したうえで、該係合部片をボトムバー内に弾性的に係合させることによって、簡単且つ容易に行うことができる。
【００３４】
上記図４のスクリーンユニット１０においては、第１及び第２のスクリーン１１，１２を重ねた状態において、該スクリーンユニット１０の下端側では第１及び第２のスクリーンを同長に裁断し、一方、該スクリーンユニット１０の上端側、つまり巻取軸８への取付端側では、第１のスクリーン１１を第２のスクリーン１２に比して上記段差ｄだけ大きいものとして裁断し、両スクリーンの巻取軸８への取付端に同一の上記抜け止め片２５を取り付けている。
【００３５】
これに対し、図５の（ａ）及び（ｂ）に示すスクリーンユニット１０においては、第１及び第２のスクリーン１１，１２を重ねた状態で、両スクリーン１１，１２を、図４の例における第２のスクリーン１２と同じ長さをもつ同長のものとして裁断し、そのうえで、第１のスクリーン１１の巻取軸８への取り付けは、上記段差ｄに相当する長さだけ大きい幅の帯状の取付部片２６ａを用いて、その一側端縁に多数の係合子２７を取り付けたファスナー状の抜け止め片２５Ａを該第１のスクリーン１１の端部に取り付け、その係合子２７を図４の場合と同様にして巻取軸８の係合溝に取り付け、一方、第２のスクリーン１２の巻取軸８に対する取り付けは、図４の場合と同様な帯状の取付部片２６の側端縁に多数の係合子２７を取り付けたファスナー状の抜け止め片２５を該スクリーン１２の端部に取り付け、それにより形成された該スクリーン１２の取付端１２ａを巻取軸８の係合溝に嵌挿するようにしている。
【００３６】
上述したところから分かるように、図４のスクリーンユニット１０では、第１及び第２のスクリーン１１，１２を重ねた状態における両スクリーンの長さを異ならしめて、両スクリーンの長さに段差ｄを付し、そのうえで、両スクリーンの巻取軸８への取付端に同一仕様のファスナー状抜け止め片２５を取り付けているのに対し、図５のスクリーンユニット１０では、第１及び第２のスクリーン１１，１２を重ねた状態における両スクリーンの長さを同長として、両スクリーンに取り付けるファスナー状抜け止め片２５の帯状の取付部片２６を、相互に上記段差ｄに相当する幅だけ異なるものとしているが、両者は実質的に変わるものではない。
【００３７】
そのため、前者のスクリーンユニット１０では共通のファスナー状抜け止め片２５を用い得るが、第１及び第２のスクリーン１１，１２の長さに差異を付する裁断を要し、しかも、スクリーンユニット１０の基材の一部を切り捨てることになり、これに対し、後者のスクリーンユニット１０では、第１及び第２のスクリーンを同長のものとしてスクリーンユニット１０の裁断を容易にし、しかも、スクリーンユニット１０の基材の一部を無駄にすることはないが、第１のスクリーン１１に付するファスナー状抜け止め片２５Ａとして帯状の取付部片の幅が別異のものを準備する必要がある。
【００３８】
なお、上記図４及び図５のいずれのスクリーンユニット１０においても、第１のスクリーン１１の左右側端に、一定幅の帯状の取付部片２６の側端縁に多数の係合子２７を取り付けてなるファスナー状抜け止め片２５を設けて、それをスクリーン枠２の側枠５に設けた係合溝に摺動自在に嵌挿することにより、スクリーンユニット１０の安定的な摺動による開閉をガイドさせている。
【００３９】
図６は、第１のスクリーンの張設完了後における巻取軸８の更なる回転によって、スラット１３が第２のスクリーン１２の逆巻きにより開状態にあるときの巻取軸８における第１のスクリーン１１の取付端１１ａの位置を例示的に示し、図７は、上記図６の状態からスラットを閉状態に移行させるために、巻取軸８によるスクリーンユニット１０の巻取りを開始したときの第１のスクリーン１１の変形状態を示している。
【００４０】
上述のように、スラット１３が第２のスクリーン１２の逆巻きにより開状態にあり、第１のスクリーン１１の巻取軸８に対する取付端１１ａが図６に示すように巻取軸８の上昇側の周面Ｂ或いはそれを超える位置に達するような寸法関係を持つようにした場合、その開状態からスラットを閉状態乃至はスクリーンユニット１０を巻取り状態に移行させるために巻取軸８を回転させると、第１のスクリーン１１の巻取軸８への取付端１１ａの近傍にある該スクリーン１１は、図２に示したような態様で巻取りボックス３内において弛むことなく、図７に示すように、第１のスクリーン１１における巻取軸８への取付端１１ａに巻取軸８からの力が作用して、それが該取付端１１ａ自体を巻取り方向に移動させるように働き、結果的に、第１のスクリーン１１の一部が、図７に示すように第２のスクリーン１２側に張り出し、室内側に位置する第２のスクリーン１２の上端部を変形させて、意匠性において見苦しくなることが確認されている。
この問題を避けるためには、上記スラット１３を第２のスクリーン１２の逆巻きにより開状態にしとき、第１のスクリーンの巻取軸８への取付端１１ａが、巻取軸８の最下端を超えない位置にあることが有効である。
【００４１】
そのため、前述したように、第１のスクリーン１１における巻取軸８への取付端１１ａ側に付加する前記段差ｄを構成するスクリーンの長さは、上述したスラットの開状態からの復帰時における第１のスクリーン１１の挙動をも考慮して定められるべきである。
また、前記図１及び図２におけるスクリーンユニット１０の巻取軸８では、第１及び第２のスクリーン１１，１２の巻取軸８への取付端１１ａ，１２ａが、巻取軸の周囲において相互に９０°の位相差で設けられているのに対し、図６及び図７の巻取軸では、それが１８０°の位相差で設けられている。上記スクリーンユニット１０の巻取り時における第１のスクリーンの変形の問題を避けるためには、この巻取軸８への取付端１１ａ，１２ａの位相差も考慮する必要がある。
【符号の説明】
【００４２】
８      巻取軸
１０      スクリーンユニット
１１      第１のスクリーン
１２      第２のスクリーン
１３      スラット
１５      第１のボトムバー
２０      弛み寄せ部材
ｄ      段差
【図１】
0006491834.tif 000002
【図２】
0006491834.tif 000003
【図３】
0006491834.tif 000004
【図４】
0006491834.tif 000005
【図５】
0006491834.tif 000006
【図６】
0006491834.tif 000007
【図７】
0006491834.tif 000008